(57)【特許請求の範囲】
【請求項１】
先端に鋭利な針先部を備える胴部と、該胴部の基端部から先端部側に向かって該胴部の長さ方向に沿って穿設された取付穴部と、該取付穴部に挿入されてかしめ止めされた縫合糸とからなる糸付縫合針において、
前記縫合糸は、該胴部の基端部から先端部方向に向けて次第に縮径する円錐状であって、該取付穴部がその中間部に最も径の小さい小径部を備えると共に、開口部の内径が小径部の内径よりも大になるように形成されているかしめ部によりかしめ止めされていることを特徴とする糸付縫合針。
【請求項２】
前記取付穴部はレーザ加工により穿設された穴部であることを特徴とする請求項１記載の糸付縫合針。
【発明の詳細な説明】
【０００１】
【発明の属する技術分野】
本発明は、手術用の糸付縫合針に関するものである。
【０００２】
【従来の技術】
手術用の糸付縫合針として、半円弧状に形成された胴部の先端に鋭利な針先部を備えると共に、該胴部の基端部から先端部側に向かって該胴部の長さ方向に沿って穿設された取付穴部に縫合糸が挿入されてかしめ止めされ、該縫合針を生体に刺通する際に該縫合糸が該縫合針から抜け落ちないようにされているものが知られている。
【０００３】
前記取付穴部はレーザ加工またはドリル加工により穿設されるが、ドリル加工によるときにはドリルの径が非常に細くなるため、折損しやすいとの問題がある。そこで、一般には、容易に前記取付穴部を穿設することができるレーザ加工が用いられている。
【０００４】
前記レーザ加工による場合には、縫合糸を挿入してかしめ止めするために十分な深さの取付穴部を形成しようとすると、図２（ａ）に示すように、胴部３の基端部４に開口部８を備え、内部に開口部８より大径の部分９を備えると共に、奥部が先細になった取付穴部５が形成される。
【０００５】
前記形状に形成された取付穴部５に縫合糸６の末端を挿入してかしめ止めする場合、従来は、図３（ａ）示のように断面が胴部３の長さ方向に平行になるように、基端部４の全周に亘って均一に縮径するかしめ部１１によりかしめ止めすることが行われている。或いは、図３（ｂ）示のように、先端部側から基端部４方向に向けて次第に縮径する円錐状のかしめ部１２によりかしめ止めすることが行われている。尚、取付穴部５は、図３（ａ）示のようにドリル加工等により奥部の形状が整えられていてもよく、図３（ｂ）示のように前記レーザ加工が施されたままの形状であってもよい。
【０００６】
しかし、前記かしめ部１１，１２では、いずれも、取付穴部５の内部に比較して小径になっている開口部８が縫合糸６に食い込むこととなり、この部分で縫合糸６に大きな剪断力が働く。このため、かしめ加工時に前記剪断力により、縫合糸６が取付穴部５の開口部８で切断されやすいとの問題がある。
【０００７】
一方、特開平４−３０７０５１号公報には、図４示のように、取付穴部５の開口部８から間隔を存して、取付穴部５の中間部に断面が胴部３の長さ方向に平行な鞍状のかしめ部１３を備える糸付縫合針が開示されている。特開平４−３０７０５１号公報記載の縫合針によれば、開口部８の周囲がかしめられていないので、開口部８で縫合糸６に剪断力が作用せず、該縫合針に対するかしめ加工の際に縫合糸６の切断を防止できるものと考えられる。前記公報記載の縫合針では、片側だけから押圧することにより、断面が胴部３の長さ方向に平行な鞍状のかしめ部１３を形成している。
【０００８】
しかしながら、このようにしてかしめ部１３を形成するときには、縫合針の片側だけから押圧するので、胴部３の長さ方向の全長に亘って適正かつ均一に縫合糸６をかしめ止めできるように、かしめ部１３の変形量を精密に制御する必要がある。
【０００９】
【発明が解決しようとする課題】
本発明は、かかる不都合を解消して、刺通の際の縫合糸の抜け落ち及びかしめ加工時の縫合糸の切断を防止することができると共に、製造容易な糸付縫合針を提供することを目的とする。
【００１０】
【課題を解決するための手段】
かかる目的を達成するために、本発明の糸付縫合針は、先端に鋭利な針先部を備える胴部と、該胴部の基端部から先端部側に向かって該胴部の長さ方向に沿って穿設された取付穴部と、該取付穴部に挿入されてかしめ止めされた縫合糸とからなる糸付縫合針において、前記縫合糸は、該胴部の基端部から先端部方向に向けて次第に縮径する円錐状であって、該取付穴部がその中間部に最も径の小さい小径部を備えると共に、開口部の内径が小径部の内径よりも大になるように形成されているかしめ部によりかしめ止めされていることを特徴とする。
【００１１】
本発明の糸付縫合針によれば、該胴部の基端部から先端部方向に向けて次第に縮径する円錐状のかしめ部を備えているので、前記縫合糸は前記取付穴部の途中に位置する該かしめ部の最も小径になった部分で、全周に亘ってかしめ止めされる。従って、本発明の糸付縫合針によれば、該縫合針を生体に刺通する際に、前記縫合糸の抜け落ちを防止することができる。
【００１２】
また、前記かしめ部は前記基端部から先端部方向に向けて次第に縮径する円錐状になっているので、前記取付穴部の開口部に対応する部分が最も大径になっており、該開口部の前記縫合糸に対する食い込みが低減される。従って、前記開口部で該縫合糸に剪断力が作用しにくくなり、前記かしめ加工による縫合糸の切断を防止することができる。
【００１３】
さらに、前記かしめ部は前記のように円錐状であり、前記縫合糸を全周に亘ってかしめ止めするので、該かしめ部の変形量を精密に制御しなくとも該縫合糸を確実にかしめ止めすることができ、容易に製造することができる。
【００１４】
また、本発明の糸付縫合針は、前記取付穴部はレーザ加工により穿設された穴部のように、開口部が内部より小径になっていて、かしめられたときに該開口部により前記縫合糸に大きな剪断力が作用する場合に好適に適用することができ、該開口部に作用する剪断力を低減して縫合糸の切断を防止することができる。
【００１５】
【発明の実施の形態】
次に、添付の図面を参照しながら本発明の実施の形態についてさらに詳しく説明する。図１は本実施形態の縫合針を示す斜視図であり、図２は図１示の縫合針の基端部の説明的縦断面図である。
【００１６】
図１示のように、本実施形態の縫合針１は、先端に鋭利な針先部２を備える半円弧状に形成された胴部３と、胴部３の基端部４から先端部側に向かって胴部３の長さ方向に沿って穿設された取付穴部５と、取付穴部５に挿入された縫合糸６とからなる。そして、縫合糸６はかしめ部７によりかしめ止めされている。
【００１７】
取付穴部５はレーザ加工により穿設されたものであり、図２（ａ）示のように、胴部３の基端部４に開口部８を備え、内部に開口部８より大径の部分９を備えると共に、先細に形成されている。尚、取付穴部５は縫合糸６の挿入に先立って、ドリル加工等により奥部の形状が図２（ｂ）示のように整えられていてもよい。
【００１８】
かしめ部７は、図２（ｂ）に示すように、基端部４から針先部２を備える先端部方向に向けて次第に縮径する円錐状に形成されている。さらに詳しくは、かしめ部７は、取付穴部５がその中間部に最も径の小さい小径部１０を備えると共に、開口部８の内径Ａが小径部１０の内径Ｂよりも大（Ａ＞Ｂ）になるように形成されており、縫合糸６の先端部６ａは小径部１０よりも奥まで挿入されている。
【００１９】
この結果、縫合糸６はかしめ部７の小径部１０により、取付穴部５の中間部で全周に亘ってかしめ止めされ、刺通の際の抜け落ちが防止される。
【００２０】
また、開口部８はもともと図２（ａ）示のように内部より小径となっているが、かしめ部７は開口部８に対応する部分で最も大径となっているので、開口部８では縫合糸６に対する剪断力が低減される。従って、縫合糸６がかしめ時に切断されることを防止することができる。
【００２１】
尚、基端部４の外径Ｒ1 は、縫合糸６が開口部８で作用する剪断力により切断されない範囲で、胴部３の外径Ｒ2 よりも小径になっていてもよい。
【００２２】
本実施形態の縫合針１は、取付穴部５に縫合糸６が挿入された状態で、かしめ部７の上下それぞれ半分の外形に沿う形状のかしめ型（図示せず）で、基端部４の上下から加圧してかしめてかしめ部７を形成する。このとき、かしめ部７は前記円錐状であり、縫合糸６を全周に亘ってかしめ止めするので、かしめ部７の変形量を精密に制御しなくとも縫合糸６を確実にかしめ止めすることができ、容易に製造することができる。
【００２３】
本実施形態の縫合針１は、前記構成とすることにより、かしめ時に縫合糸６が切断される不良の発生を、図３（ａ），３（ｂ）に示す従来の場合に比較して、約１／１０に低減することができる。
【００２４】
尚、本実施形態では、レーザ加工により穿設された取付穴部５にさらにドリル加工を施して奥部の形状を整えるようにしているが、取付穴部５はドリル加工を施さずレーザ加工のみによって設けられていてもよい。また、取付穴部５はドリル加工により穿設されたものであってもよい。
【図面の簡単な説明】
【図１】本発明の糸付縫合針の一構成例を示す斜視図。
【図２】図１示の糸付縫合針の基端部の説明的縦断面図。
【図３】従来の糸付縫合針の基端部の説明的縦断面図。
【図４】従来の他の糸付縫合針の斜視図及び該縫合針の基端部の説明的縦断面図。
【符号の説明】
１…糸付縫合針、  ２…針先部、  ３…胴部、  ４…基端部、  ５…取付穴部、  ６…縫合糸、  ７…かしめ部、  ８…開口部。
【図１】
0003684327.tif 000002
【図２】
0003684327.tif 000003
【図３】
0003684327.tif 000004
【図４】
0003684327.tif 000005